(57)【特許請求の範囲】
【請求項１】
ガスバーナで生成された燃焼排ガスを熱交換器内の水へ熱交換させて出湯を行うガス湯沸器であって、前記ガスバーナは、ガス配管から供給される燃料ガスを噴射する噴射ノズルと、前記噴射ノズルから噴射された燃料ガスを空気とともにガス入口から取り込み、混合ガスとして炎孔から放出するバーナ管と、前記ガス入口を覆う虫侵入防止カバーとを備えたガス湯沸器において、
虫侵入防止カバーは、前記ガス入口を覆った閉覆状態と前記ガス入口を覆っていない開放状態との間で変位移動が可能であり、
虫侵入防止カバーが前記閉覆状態から開放状態へ変位移動する開放動作は、器具操作部による出湯許可操作に連動して実行される、ガス湯沸器。
【請求項２】
請求項１に記載のガス湯沸器において、
前記器具操作部は、出湯の開始および停止を指示するための出湯操作部であり、
前記出湯許可操作は、出湯操作部による出湯の開始操作であることを特徴とする、ガス湯沸器。
【請求項３】
請求項１に記載のガス湯沸器において、
前記器具操作部は、出湯の開始および停止を指示するための出湯操作部による出湯の開始操作を禁止するロック操作部であり、
前記出湯許可操作は、ロック操作部による前記禁止の解除操作であることを特徴とする、ガス湯沸器。
【請求項４】
請求項２に記載のガス湯沸器において、
前記開放状態から閉覆状態へ変位移動する虫侵入防止カバーの閉覆動作は、出湯操作部による出湯の停止操作に連動して実行される、ガス湯沸器。
【請求項５】
請求項１から４のいずれかに記載のガス湯沸器において、
虫侵入防止カバーが前記閉覆状態である場合には、前記噴射ノズルからの燃料ガスの噴射を禁止する点火禁止手段を備えた、ガス湯沸器。
【発明の詳細な説明】
【技術分野】
【０００１】
本発明は、ガスバーナ内部への虫の侵入を防止する機能を有するガス湯沸器に関するものである。
【背景技術】
【０００２】
台所や飲食店の調理場等に設置されるガス湯沸器において、ケーシングの隙間や開放部からケーシング内へ入り込んだクモ等の虫がガスバーナのバーナ管の内部にまで侵入し、そのバーナ管内やガス入口に巣を形成した場合には、出湯を開始する際に、バーナ管への燃料ガスや空気の供給が妨げられて、ガスバーナが正常に点火しない恐れがある。
かかる点を考慮して、従来のガス湯沸器では、上記バーナ管のガス入口に虫侵入防止カバーを設け、バーナ管内部への虫の侵入を防止したものがある。
【０００３】
図８は、上記虫侵入防止カバーを備えた従来のガス湯沸器７の概略構成図であり、ケーシング７０上部に開設された排気口７１からケーシング７０内へ延びる燃焼排気通路７２内には、後述する燃焼排ガスによって熱交換を行う熱交換器８が組み込まれている。
【０００４】
また、燃焼排気通路７２の下端開口７３側には、ガス配管Ｌｇから送り込まれた燃料ガスを燃焼させて燃焼排ガスを生成するガスバーナ９が配設されており、このガスバーナ８で生成された燃焼排ガスと熱交換器８内の水との間で熱交換させることによって、出湯配管Ｌ２側へ高温の湯が供給される。
【０００５】
ガスバーナ９は、ガス配管Ｌｇから供給される燃料ガスを後述するバーナ管９２へ向けて噴射するノズルマニホールド９１と、ノズルマニホールド９１から噴射された燃料ガスを空気とともに炎孔９２ｂから放出させる複数のバーナ管９２とを備えている。
【０００６】
ノズルマニホールド９１は、上記バーナ管９２のガス入口であるスロート孔９２ａへ向かって延びる複数の噴射ノズル９１ａを備えており、これら各噴射ノズル９１ａからバーナ管９２内へ燃焼ガスが噴射される。
【０００７】
一方、バーナ管９２のガス出口である炎孔９２ｂは、燃焼排気通路７２の下端開口７３へ臨んでおり、上記噴射ノズル９１ａからスロート孔９２ａへ向けて噴射された燃料ガスは、エゼクタ効果によってバーナ管９２内へ吸引される空気を伴って上記炎孔９２ｂから放出される。そして、この燃料ガスの燃焼排ガスが燃焼排気通路７２を通って熱交換器８へ導かれる。
【０００８】
また、上記スロート孔９２ａは、ノズル挿通孔９６ａを有する虫侵入防止カバー９６で覆われており、ノズルマニホールド９１の各噴射ノズル９１ａは、このノズル挿通孔９６ａを貫通してスロート孔９２ａ近傍まで迫り出している（図９（ａ）および（ｂ）参照）。
【０００９】
虫侵入防止カバー９６には、複数のスリット９６ｂが開設されており、ガスバーナ９の点火動作が実行された際にエゼクタ効果によってバーナ管９２内へ吸引される空気は、上記スリット９６ｂを通ってバーナ管９２内へ取り込まれる。
【００１０】
このものでは、開放部７４からケーシング７０内へ蛾やクモ等の虫が入り込んでも、虫侵入防止カバー９６が妨げとなってバーナ管９２の内部にまで虫が侵入し難い。これにより、スロート孔９２ａやバーナ管９２の内部への巣の形成に起因するガスバーナ９の点火不良を防止できる。
【特許文献１】特開平８−９４１８６号公報
【発明の開示】
【発明が解決しようとする課題】
【００１１】
しかしながら、上記構成のものでは、スロート孔９２ａが常に虫侵入防止カバー９６で覆われているので、その虫侵入防止カバー９６自体がバーナ管９２内へ吸引される空気の抵抗となる。特に、長期使用に伴って虫侵入防止カバー９６のスリット９６ｂが虫の巣や埃等の付着物で目詰まりした場合には、スロート孔９２ａからバーナ管９２内へ燃料ガスの燃焼に適した量の空気が取り込まれず、ガスバーナ９が正常に点火しない恐れがある。
本発明は係る点に鑑みてなされたもので、
『ガスバーナで生成された燃焼排ガスを熱交換器内の水へ熱交換させて出湯を行うガス湯沸器であって、前記ガスバーナは、ガス配管から供給される燃料ガスを噴射する噴射ノズルと、前記噴射ノズルから噴射された燃料ガスを空気とともにガス入口から取り込み、混合ガスとして炎孔から放出するバーナ管と、前記ガス入口を覆う虫侵入防止カバーとを備えたガス湯沸器』において、長期使用しても、虫侵入防止カバー自体がバーナ管内への空気の吸引の妨げにならず、ガスバーナの点火不良を効果的に防止し得るガス湯沸器を提供することを課題とする。
【課題を解決するための手段】
【００１２】
上記課題を解決するための請求項１に係る発明の技術的手段は、
『虫侵入防止カバーは、前記ガス入口を覆った閉覆状態と前記ガス入口を覆っていない開放状態との間で変位移動が可能であり、
虫侵入防止カバーが前記閉覆状態から開放状態へ変位移動する開放動作は、器具操作部による出湯許可操作に連動して実行される』ことである。
上記技術的手段によれば、出湯していない間は、虫侵入防止カバーがバーナ管のガス入口を覆った閉覆状態であるから、上記ガス入口からバーナ管内への虫の侵入が阻止される。
【００１３】
一方、出湯を開始すべく、器具操作部による出湯許可操作を行えば、その許可操作に連動して虫侵入防止カバーの開放動作が実行され、虫侵入防止カバーがバーナ管のガス入口を覆っていない開放状態になる。その結果、ガスバーナの点火動作が実行された際には、上記ガス入口からバーナ管内へ燃料ガスの燃焼に必要な量の空気が確実に吸引される。
請求項２に係る発明の技術的手段は、
前記請求項１において、
『前記器具操作部は、出湯の開始および停止を指示するための出湯操作部であり、
前記出湯許可操作は、出湯操作部による出湯の開始操作であることを特徴とする』ことである。
【００１４】
このものでは、出湯操作部による出湯の開始操作と虫侵入防止カバーの開放動作とが連動しているから、出湯を開始する前に、予め虫侵入防止カバーを開放させるための操作を上記出湯の開始操作とは別に行わなくても良い。
【００１５】
請求項３に係る発明の技術的手段は、
前記請求項１において、
『前記器具操作部は、出湯の開始および停止を指示するための出湯操作部による出湯の開始操作を禁止するロック操作部であり、
前記出湯許可操作は、ロック操作部による前記禁止の解除操作であることを特徴とする』ことである。
このものでは、ロック操作部を操作して、出湯操作部による出湯の開始操作の禁止状態を解除した時点で、虫侵入防止カバーが開放するから、出湯操作部によって出湯の開始操作を行う際には、既にバーナ管のガス入口から燃料ガスの燃焼に必要な量の空気をバーナ管内へ吸引することが可能な状態になっている。これにより、ガスバーナの点火不良を未然に回避できる。
【００１６】
請求項４に係る発明の技術的手段は、
前記請求項２において、
『前記開放状態から閉覆状態へ変位移動する虫侵入防止カバーの閉覆動作は、出湯操作部による出湯の停止操作に連動して実行される』ことである。
このものでは、出湯操作部による出湯の停止操作と虫侵入防止カバーの閉覆動作とが連動しているから、出湯を停止した後で、虫侵入防止カバーを閉覆させるための操作を上記出湯の停止操作とは別に行わなくても良い。
【００１７】
請求項５に係る発明の技術的手段は、
前記請求項１から４のいずれかにおいて、
『虫侵入防止カバーが前記閉覆状態である場合には、前記噴射ノズルからの燃料ガスの噴射を禁止する点火禁止手段を備えた』ことである。
このものでは、例えば、出湯の開始が指示されたにもかかわらず、虫侵入防止カバーを開放させる機構の異常によって、虫侵入防止カバーが閉覆状態のままである場合には、その虫侵入防止カバーが妨げとなって燃料ガスの燃焼に必要な量の空気をバーナ管内へ吸引することができない可能性があるから、この場合は、噴射ノズルからの燃料ガスの噴射を禁止する。これにより、ガスバーナの点火不良を未然に回避できる。
【発明の効果】
【００１８】
本発明は、上記構成であるから次の特有の効果を有する。
請求項１に係る発明では、出湯停止中は、虫侵入防止カバーによってバーナ管内部への虫の侵入を防止し、出湯を開始する際には、虫侵入防止カバーが器具操作部の出湯許可操作に連動して開放され、燃料ガスの燃焼に必要な量の空気をバーナ管内へ確実に吸引することが可能となるから、長期使用しても、虫侵入防止カバー自体がバーナ管内への空気の吸引の妨げにはならず、これにより、ガスバーナの点火不良を効果的に防止できる。
【００１９】
請求項２に係る発明では、上記請求項１の効果に加えて、出湯を開始する前に、予め出湯操作部による出湯の開始操作とは別の操作によって虫侵入防止カバーを開放させるといった手間がかからないから、利便性が向上する。
【００２０】
請求項３に係る発明では、上記請求項１の効果に加えて、出湯を開始する際には確実に虫侵入防止カバーが開放されている構成を採用したことによって、ガスバーナの点火不良を未然に回避できるから、安全性が向上する。
【００２１】
請求項４に係る発明では、出湯を停止した後で、出湯操作部による出湯の停止操作とは別の操作によって虫侵入防止カバーを閉覆させるといった手間がかからないから、利便性が一層向上する。
【００２２】
また、虫侵入防止カバーの閉覆し忘れを生じないから、ガスバーナの点火不良を一層効果的に防止できる。
【００２３】
請求項５に係る発明では、虫侵入防止カバーが閉覆状態である場合には、噴射ノズルからの燃料ガスの噴射を禁止し、ガスバーナの点火不良が未然に回避されるから、安全性が一層向上する。
【発明を実施するための最良の形態】
【００２４】
次に、上記した本発明を実施するための最良の形態について、添付図面を参照しながら詳述する。
図１は、本発明の実施の形態に係るガス湯沸器１の概略構成図であり、ケーシング１０内には、そのケーシング１０の上部に開設された排気口１１からケーシング１０内部へ延びる燃焼排気通路１２が形成されており、この燃焼排気通路１２内には、後述する給水配管Ｌ１から送り込まれた水と後述する燃料ガスの燃焼排ガスとの間で熱交換させる熱交換器２が組み込まれている。
【００２５】
また、燃焼排気通路１２の下端開口１３側には、後述するガス配管Ｌｇから送り込まれた燃料ガスを放出して燃焼させ、その燃焼排ガスを燃焼排気通路１２内へ送り込むガスバーナ３が配設されている。
【００２６】
従って、ガスバーナ３で生成された燃焼排ガスは、燃焼排気通路１２を通って熱交換器２側へ導かれ、さらに、熱交換器２の表面に接触した後、排気口１１からケーシング１０外へ排出される。
【００２７】
熱交換器２は、燃焼排気通路１２の側壁相互間を蛇行するように延びる吸熱管２１と、この吸熱管２１に対して交差するように並ぶ複数の吸熱フィン２２とを有しており、吸熱管２１の上流側管端には、図示しない水供給源へ繋がる給水配管Ｌ１が接続され、吸熱管２１の下流側管端には、吸熱管２１内で生成された湯をシャワーヘッドＨへ導く出湯配管Ｌ２が接続されている。
【００２８】
また、上記給水配管Ｌ１には、入水遮断弁２３と、通水開始時における給水配管Ｌ１内の水圧変化に応じてガス配管Ｌｇに設けられたガス遮断弁３４（後述する）の開閉動作を行う水圧応動機構２４と、給水配管Ｌ１からバイパス管路Ｌ３を介して出湯配管Ｌ２側へ供給する水量を調整する分流弁２５とが上流側からこの順序で配設されており、これら入水遮断弁２３および水圧応動機構２４は、熱交換器２への給水動作やガスバーナ３の点消火動作等を制御する制御部Ｃへ電気的に接続されている。一方、分流弁２５は、シャワーヘッドＨからの出湯の温度を調整するための温調ダイヤルＳ３と機械的に接続されており、この温調ダイヤルＳ３の回動位置に応じて開度が調整される。
尚、図示しないが、水圧応動機構２４は、給水配管Ｌ１内の水圧変化に応じて中心部を往復移動させるダイヤフラムと、その中心部の往復移動に連動して後述するガス遮断弁３４を開閉させるプッシュロッドと、プッシュロッドが後述するガス遮断弁３４を開方向へ作動させたか否かを検知する開弁センサとを備えており、この開弁センサが上記制御部Ｃへ電気的に接続されている。
【００２９】
ガスバーナ３は、図示しないガス供給源からガス配管Ｌｇを介して供給される燃料ガスを後述するバーナ管３２へ向けて噴射する複数の噴射ノズル３１ａを備えたノズルマニホールド３１と、その噴射された燃料ガスをケーシング１０内の空気とともに炎孔３２ｂから放出させる複数のバーナ管３２とを有している。
【００３０】
また、上記ノズルマニホールド３１へ接続されるガス配管Ｌｇには、電磁弁３３と、給水配管Ｌ１の水圧応動機構２４によって開閉されるガス遮断弁３４と、ノズルマニホールド３１へ供給する燃料ガスの流量を調整するガス量調整弁３５とが上流側からこの順序で配設されており、電磁弁３３は、上記制御部Ｃへ電気的に接続されている。尚、ガス量調整弁３５には、能力切替レバーＳ１が連結されており、この能力切替レバーＳ１の回動位置に応じて開度を調整することが可能である。
【００３１】
ノズルマニホールド３１には、上記各バーナ管３２のガス入口であるスロート孔３２ａへ向かって延びる複数の噴射ノズル３１ａが形成されており、これら各噴射ノズル３１ａからバーナ管３２内へ燃料ガスが噴射される。
【００３２】
バーナ管３２は、プレス加工によって溝状に絞り込まれた一対の略対称形の金属板を重ね合わせることによって、一つの通路を形成した扁平管体であり、この管体の一端側のガス入口としてのスロート孔３２ａが、上記噴射ノズル３１ａ側へ開放している一方、他端側のガス出口としての炎孔３２ｂが、燃焼排気通路１２の下端開口１３側へ開放している。
【００３３】
また、上記炎孔３２ｂの近傍には、イグナイタＧから高電圧を印加することによって火花放電する点火プラグＰと、炎孔３２ｂから放出された燃料ガスの燃焼炎を検知するフレームロッドＦとが設けられており、これらイグナイタＧおよびフレームロッドＦは、上記制御部Ｃへ電気的に接続されている。
【００３４】
従って、噴射ノズル３１ａから噴射された燃料ガスは、エゼクタ効果によってスロート孔３２ａ周辺からバーナ管３２内へ吸入される空気を伴って炎孔３２ｂから放出され、さらに、点火プラグＰからの火花放電によって着火される。
【００３５】
一方、バーナ管３２のスロート孔３２ａ側には、そのスロート孔３２ａに対して閉覆した状態と開放した状態との間で変位移動可能な虫侵入防止カバー３６が設けられている。この虫侵入防止カバー３６は、シャワーヘッドＨからの出湯の開始および停止を指示するための出湯ボタンＳ２へ後述するカバー開閉機構３７を介して機械的に接続されている。
【００３６】
また、上記スロート孔３２ａの近傍には、虫侵入防止カバー３６がスロート孔３２ａを閉覆した際にオン状態になる閉覆検知スイッチＥが設けられており、この閉塞検知スイッチＥは、上記制御部Ｃへ電気的に接続されている。
【００３７】
制御部Ｃには、上記出湯ボタンＳ２が電気的に接続されているとともに、出湯ボタンＳ２による出湯の開始操作に応じて入水遮断弁２３および電磁弁３３を開放させ且つ点火プラグＰから火花放電させる出湯動作や、閉塞検知スイッチＥがオン状態である場合に電磁弁３３の開放動作を禁止する点火禁止動作等の実行プログラムが組み込まれている。
尚、上記出湯ボタンＳ２が、既述請求項２の発明特定事項としての「出湯操作部」に対応し、上記「点火禁止動作を実行する」制御部Ｃの機能部が、既述請求項５の発明特定事項としての「点火禁止手段」に対応する。
【００３８】
［虫侵入防止カバー３６およびカバー開閉機構３７］
虫侵入防止カバー３６は、図２に示すように、複数のノズル挿通孔３６ａが開設された板状体であり、上記ノズルマニホールド３１の各噴射ノズル３１ａは、これら各ノズル挿通孔３６ａを貫通してスロート孔３２ａまで迫り出している。
【００３９】
また、虫侵入防止カバー３６の両端には、軸接続孔３６ｂを有する連結舌片３６０が形成されており、この連結舌片３６０の軸接続孔３６ｂに後述する連結軸３７１の一端が螺合接続される。
【００４０】
一方、カバー開閉機構３７は、図２および図３に示すように、後述するワイヤ３７Ｃの引張動作を虫侵入防止カバー３６のスロート孔３２ａ周縁からの離反動作に変換する第１リンク３７Ａと、出湯ボタンＳ２の押入操作を後述するワイヤ３７Ｃの引張動作に変換する第２リンク３７Ｂと、上記第１リンク３７Ａおよび第２リンク３７Ｂ相互を繋ぐワイヤ３７Ｃとで構成されている。
【００４１】
第１リンク３７Ａは、図２に示すように、ケーシング１０内に固設され且つ上記噴射ノズル３１ａの延長方向と平行に延びる二つのガイド孔３７ｈを有する支持板３７０と、上記各ガイド孔３７ｈに挿通された状態で一端が上記連結舌片３６０へ接続される連結軸３７１と、一端がその連結軸３７１の他端に接続され且つ他端が後述する連結板３７３へ接続される二つの細長板状の可動板３７２と、左右上端に可動板３７２の他端がそれぞれ回動可能な状態で接続され且つ下端に上記ワイヤ３７Ｃが接続される略Ｔ字状の連結板３７３とを備えている。また、上記可動板３７２と連結板３７３との連結部には、可動板３７２を一方向へ回転付勢するねじりバネＲ１が組み付けられており、上記連結軸３７１がこのねじりバネＲ１の復帰力によって常にスロート孔３２ａに近接する方向へ押圧付勢されている。
【００４２】
第２リンク３７Ｂは、図３に示すように、ケーシング１０内に揺動可能な状態で軸支され且つ先端に上記ワイヤ３７Ｃが接続される揺動アーム３７４と、出湯ボタンＳ２の裏面へ固設され且つ上記揺動アーム３７４の後端に挟持状態で係合する係合ヘッド３７５とを備えており、出湯ボタンＳ２が押し込まれる際に、上記係合ヘッド３７５の周面に形成されたフランジ３７ｆが揺動アーム３７４の後端を押圧し、揺動アーム３７４を回動させる。
【００４３】
出湯ボタンＳ２は、プッシュロック式の操作ボタンであり、一回目の押入操作によってケーシング１０内側へ押し込まれた位置で係止状態となり、二回目の押入操作によってその係止状態が解除され、圧縮バネＲ２の反発力によって元の位置へ復帰するように構成されている。
【００４４】
また、出湯ボタンＳ２の内部には、上記一回目の押入操作によってオン、二回目の押入操作によってオフ状態になる図示しないオンオフスイッチが組み込まれており、このオンオフスイッチが上記制御部Ｃへ電気的に接続されている。
【００４５】
従って、出湯ボタンＳ２の一回目の押入操作を行えば、上記オンオフスイッチがオン状態になるとともに出湯ボタンＳ２が上記係止状態になる。一方、揺動アーム３７４は、その後端が係合ヘッド３７５のフランジ３７ｆに押圧されて、ワイヤ３７Ｃを引っ張る方向へ回動する。そして、このワイヤ３７Ｃの引張動作に応動して連結板３７３が引き下げられるとともに、可動板３７２が上記ねじりバネＲ１の復帰力に抗して連結板３７３との連結部を中心に回動し、連結軸３７１をスロート孔３２ａから離反する方向へ摺動させる。その結果、虫侵入防止カバー３６がスロート孔３２ａの周縁に当接した状態から離反した位置まで移動し、スロート孔３２ａを開放する（図４（ａ）参照）。
【００４６】
その後、出湯ボタンＳ２の二回目の押入操作を行えば、上記オンオフスイッチがオフ状態になるとともに出湯ボタンＳ２の上記係止状態が解除される一方、揺動アーム３７４が係合ヘッド３７５によって元の位置まで回動する。また、揺動アーム３７４が回動するのに伴って、可動板３７２がねじりバネＲ１の復帰力によって連結板３７３との連結部を中心に回動し、連結軸３７１をスロート孔３２ａへ近接する方向へ摺動させる。その結果、虫侵入防止カバー３６がスロート孔３２ａの周縁に当接する位置まで移動し、スロート孔３２ａを閉覆する（図４（ｂ）参照）。
【００４７】
［ガスバーナ３の点消火動作］
具体的には、ガスバーナ３が消火されている状態において、出湯ボタンＳ２の一回目の押入操作（以下、「出湯の開始操作」という）がなされて上記オンオフスイッチがオン状態になると、制御部Ｃに組み込まれた上記出湯動作の実行プログラムによって、入水遮断弁２３が開放され、給水配管Ｌ１から熱交換器２の吸熱管２１への通水を開始する。このとき、バーナ管３２のスロート孔３２ａを閉覆していた虫侵入防止カバー３６は、上述したカバー開閉機構３７によるスロート孔３２ａの開放動作によって、スロート孔３２ａを開放する。
【００４８】
そして、上記熱交換器２への通水の開始に伴う給水配管Ｌ１内の水圧変化を受けた水圧応動機構２４のダイヤフラムは、プッシュロッドを軸線方向へ移動させて、ガス遮断弁３４を開方向へ作動させる。さらに、水圧応動機構２４の図示しない開弁センサによってガス遮断弁３４の開放が検知されると、閉塞検査スイッチＥがオフ状態であることを確認した後、点火プラグＰから火花放電を開始させるとともに電磁弁３３を開放し、ガス配管Ｌｇからガスバーナ３のノズルマニホールド３１への燃料ガスの供給を開始させる。
【００４９】
その結果、ノズルマニホールド３１の各噴射ノズル３１ａからバーナ管３２内へ向けて燃料ガスが噴射され、スロート孔３２ａからバーナ管３２内へ吸引された空気とともに、炎孔３２ｂから燃焼排気通路１２内へ放出される。これにより、ガスバーナ３が点火され、シャワーヘッドＨへの出湯が開始される。
尚、水圧応動機構２４の図示しない開弁センサによってガス遮断弁３４の開放が検知されたにもかかわらず、閉塞検査スイッチＥがオン状態である場合は、例えば、上記スロート孔３２ａ周縁への虫侵入防止カバー３６の固着やカバー開閉機構３７の動作不良等によって、虫侵入防止カバー３６がスロート孔３２ａを閉覆したままの異常状態である可能性があり、この状態でガスバーナ３の点火動作を実行させれば、虫侵入防止カバー３６が妨げとなって、燃料ガスの燃焼に必要な量の空気をバーナ管３２内へ吸引することができず、ガスバーナ３の点火不良を招く恐れがある。
【００５０】
従って、ガス遮断弁３４を開放しても閉塞検査スイッチＥがオン状態である場合は、電磁弁３３の開放動作を禁止してノズルマニホールド３１からの燃料ガスの噴射を禁止するとともに、虫侵入防止カバー３６の異常を図示しない報知部から音声出力や点灯表示等によって報知させる。
【００５１】
一方、ガスバーナ３が点火された状態において、出湯ボタンＳ２の二回目の押入操作（以下、「出湯の停止操作」という）がなされて上記オンオフスイッチがオフ状態になると、上記出湯動作の実行プログラムによって、入水遮断弁２３および電磁弁３３を閉じ、ノズルマニホールド３１への燃料ガスの供給および吸熱管２１への水の供給を共に遮断する。その結果、ガスバーナ３が消火され、シャワーヘッドＨからの出湯が停止される。このとき、スロート孔３２ａから離反していた虫侵入防止カバー３６は、上述したカバー開閉機構３７によるスロート孔３２ａの閉覆動作によって、スロート孔３２ａを閉覆する。
【００５２】
即ち、シャワーヘッドＨからの出湯を開始すべく、出湯ボタンＳ２による出湯の開始操作が行われた場合には、上記スロート孔３２ａを虫侵入防止カバー３６で覆った閉覆状態から覆っていない開放状態へ変位移動させる開放動作が実行され、ノズルマニホールド３１からバーナ管３２へ燃料ガスが放出された際に、虫侵入防止カバー３６とスロート孔３２ａの間に形成された間隙から燃料ガスの燃焼に必要な量の空気がバーナ管３２内へ吸引される。
【００５３】
また、シャワーヘッドＨからの出湯を停止すべく、出湯ボタンＳ２による出湯の停止操作が行われた場合には、上記スロート孔３２ａを虫侵入防止カバー３６で覆っていない開放状態から覆った閉覆状態へ変位移動させる閉覆動作が実行され、スロート孔３２ａが虫侵入防止カバー３６によって速やかに覆われる。
【００５４】
従って、このものでは、蛾やクモ等の虫が上記開放部１４からケーシング１０内へ入り込んでも、虫侵入防止カバー３６によって、バーナ管３２内部にまで侵入するのが阻止される。また、出湯を開始する際には、その虫侵入防止カバー３６が出湯ボタンＳ２による出湯の開始操作に連動して開放され、燃料ガスの燃焼に必要な量の空気をバーナ管３２内へ吸引することが可能となる。これにより、長期使用しても、虫侵入防止カバー３６自体がバーナ管１０内への空気の吸引の妨げにはならず、ガスバーナ３の点火不良を効果的に防止することが可能となる。
【００５５】
また、出湯ボタンＳ２の出湯の開始操作に連動して虫侵入防止カバー３６の開放動作が実行される構成にしたことによって、出湯を開始する前に、予め出湯ボタンＳ２の押入操作とは別の操作によって虫侵入防止カバー３６を開放させる必要がないから、利便性が良い。
【００５６】
さらに、出湯ボタンＳ２の出湯の停止操作に連動して虫侵入防止カバー３６の閉覆動作が実行される構成を採用したことによって、出湯を停止した後で、出湯ボタンＳ２の押入操作とは別の操作によって虫侵入防止カバー３６を閉覆させる必要がないから、利便性が一層良好である。また、虫侵入防止カバー３６による上記スロート孔３２ａの閉覆し忘れを生じないから、上記点火不良を一層効果的に防止できる。
【００５７】
また、閉塞検知スイッチＥがオン状態である場合は、電磁弁３３の開放動作を禁止してノズルマニホールド３１からの燃料ガスの噴射を禁止する構成を採用したことにより、ガスバーナ３の点火不良を未然に回避できるから、安全性も高い。
【００５８】
［他の実施形態］
上記実施の形態では、虫侵入防止カバー３６の開放動作および閉覆動作をカバー開閉機構３７によって機械的に行うものを説明したが、ソレノイドやモータ等の電気駆動手段を利用して行っても良い。
【００５９】
具体的には、図５に示すように、上記実施の形態におけるカバー開閉機構３７に代えて、後述するプッシュプルソレノイド３８４を備えたカバー開閉機構３８が組み込まれている。
【００６０】
上記カバー開閉機構３８は、上記実施の形態と同様の支持板３７０と、その支持板３７０の各ガイド孔３７ｈに挿通された状態で一端が虫侵入防止カバー３６の連結舌片３６０へ接続される連結軸３８１と、その連結軸３８１の他端に回動可能な状態で取り付けられる回転ヘッド３８２と、先端の傾斜面が回転ヘッド３８２の周面に当接し且つ後端が後述するプッシュプルソレノイド３８４の可動プランジャに連結される押出ヘッド３８３と、所定電圧を印加することによって内部の可動プランジャをその軸線方向へ摺動させるプッシュプルソレノイド３８４とを備えている。また、上記連結軸３８１は、支持板３７０に固定された図示しないバネ部材の復帰力によって常にスロート孔３２ａから離反する方向へ押圧されている。
尚、図示しないが、上記プッシュプルソレノイド３８４は、磁性材料で形成された可動プランジャと、可動プランジャを一方（ここでは、押出ヘッド３８３がプッシュプルソレノイド３８４から押し出される方向）へ押圧する復帰バネと、可動プランジャを励磁作用によって上記復帰バネの押圧方向と反対側へ摺動させる電磁コイルとを備えており、この電磁コイルが、制御部Ｃへ電気的に接続されている。
【００６１】
制御部Ｃには、上記実施の形態と同様、出湯ボタンＳ２が電気的に接続されているとともに、上述の出湯動作、温調動作および点火禁止動作の実行プログラムに加えて、出湯ボタンＳ２のオンオフスイッチがオン状態になればプッシュプルソレノイド３８４へ所定の電圧を印加し、上記オンオフスイッチがオフ状態になればプッシュプルソレノイド３８４への所定電圧の印加を停止させるカバー開閉動作の実行プログラムが組み込まれている。
【００６２】
従って、出湯ボタンＳ２の出湯の開始操作を行い、そのオンオフスイッチがオン状態になれば、制御部Ｃから電磁コイルへ所定の電圧が印加される。すると、電磁コイルの励磁作用によって、可動プランジャに接続された押出ヘッド３８３がプッシュプルソレノイド３８４へ引き戻される方向へ移動し、さらには、その押出ヘッド３８３へ当接している回転ヘッド３８２が図示しないバネ部材の復帰力によってスロート孔３２ａから離反する方向へ移動する。その結果、虫侵入防止カバー３６がスロート孔３２ａの周縁から離反し、スロート孔３２ａを開放する。
【００６３】
そして、出湯ボタンＳ２の出湯の停止操作を行い、オンオフスイッチがオフ状態になれば、電磁コイルへの所定電圧の印加が停止される。すると、プッシュプルソレノイド３８４に組み込まれた復帰バネの反発力によって、押出ヘッド３８３がプッシュプルソレノイド３８４から押し出される方向へ移動し、さらには、その押出ヘッド３８３へ当接している回転ヘッド３８２が図示しないバネ部材の復帰力に抗してスロート孔３２ａに近接する方向へ移動する。その結果、虫侵入防止カバー３６がスロート孔３２ａの周縁に当接し、スロート孔３２ａを閉覆する。
【００６４】
これにより、出湯ボタンＳ２の出湯の開始操作に連動して虫侵入防止カバー３６の開放動作が実行され、出湯ボタンＳ２の出湯の停止操作に連動して虫侵入防止カバー３６の閉覆動作が実行されるから、上記実施の形態と同様の効果が発揮される。
尚、上記プッシュプルソレノイド３８４に代えて、モータを採用する場合は、上記押出ヘッド３８３とモータの回転軸とを歯車等によって連結し、この回転軸の回転動作に連動して押出ヘッド３８３が進出および後退する構成にすれば良い。
【００６５】
また、虫侵入防止カバー３６へプッシュプルソレノイド３８４の可動プランジャを直接的に接続して、虫侵入防止カバー３６を開閉させる構成にしても良いし、ラックピニオン歯車を介してモータと虫侵入防止カバー３６とを接続して、虫侵入防止カバー３６を開閉させる構成にしても良い。
【００６６】
さらに、上記実施の形態では、虫侵入防止カバー３６の開放動作を出湯ボタンＳ２の出湯の開始操作に連動させたものを説明したが、出湯ボタンＳ２による出湯の開始操作の禁止および禁止の解除を切り替えるロックレバーＳ４を設け、このロックレバーＳ４の禁止の解除操作に連動させても良い。
【００６７】
具体的には、図６に示すカバー開閉機構３９のように、上記実施の形態における第２リンク３７Ｂに代えて、上記ロックレバーＳ４のロックアームＳ４０にワイヤ３７Ｃが接続される。
【００６８】
ロックレバーＳ４は、ケーシング１０の取付け部に対して回動可能な状態で軸支されており、出湯ボタンＳ２がケーシング１０内側へ押し込まれていない係止解除状態において所定のロック位置まで回動させれば、ロックアームＳ４０の先端が出湯ボタンＳ２の軸端に設けられたフランジＳ２０の正面側へ進出して出湯ボタンＳ２の押入方向への移動を阻止する一方、ロックレバーＳ４をロック位置から元のロック解除位置まで回動させれば、ロックアームＳ４０の先端がフランジＳ２０の正面側から後退して出湯ボタンＳ２の押入方向への移動を許可する。そして、ワイヤ３７Ｃは、このロックアームＳ４０の上記後退する動作に連動して引っ張られるように構成されている。即ち、出湯ボタンＳ２による出湯の開始操作の禁止状態を解除するロックレバーＳ４のロック解除位置への回動動作が、ワイヤ３７Ｃの引張動作に変換されるようになっている。
【００６９】
従って、ロックレバーＳ４をロック解除位置まで回動させれば、ロックアームＳ４０の先端が上記フランジＳ２０の正面側から後退し、出湯ボタンＳ２の押入方向への移動を可能にするとともに、ワイヤ３７Ｃが上記連結板３７３を引き下げる方向へ引っ張られる。その結果、上記実施の形態と同様、虫侵入防止カバー３６がスロート孔３２ａの周縁から離反し、さらに、出湯ボタンＳ２による出湯の開始操作が可能になる。
尚、上記ロックレバーＳ４が、既述請求項３の発明特定事項としての「ロック操作部」に対応する。
【００７０】
このものでは、ロックレバーＳ４をロック位置に回動させた時点で、虫侵入防止カバー３６が開放するから、出湯ボタンＳ２によって出湯の開始操作を行う際には、既に虫侵入防止カバー３６が開放しており、燃料ガスの燃焼に必要な量の空気をバーナ管３２内へ吸引することが可能な状態になっている。その結果、ガスバーナ３の点火不良が未然に回避されるから、安全性が良い。
尚、上記ロックレバーＳ４に代えて、出湯ボタンＳ２の押入操作の禁止および禁止の解除を切り替える機能を温調ダイヤルＳ３に兼備させ、この温調ダイヤルＳ３の上記禁止の解除操作に連動して虫侵入防止カバー３６の開放動作が行われるように構成しても良い。この場合、上記温調ダイヤルＳ３が、既述請求項３の発明特定事項としての「ロック操作部」に対応する。
【００７１】
また、上記実施の形態における虫侵入防止カバー３６は、バーナ管３２のスロート孔３２ａの周縁に対して当接および離反する動作によって上記スロート孔３２ａを閉覆および開放させる構成であるが、バーナ管３２のスロート孔３２ａの周縁に沿って摺動する動作によって上記スロート孔３２ａを閉覆および開放させる構成であっても良い。
【００７２】
具体的には、図７に示すように、上記実施の形態における第１リンク３７Ａに代えて、ワイヤ３７Ｃとの引張動作によって虫侵入防止カバー３６をスロート孔３２ａ周縁に沿って移動させる連結機構３９Ａを採用する。
【００７３】
この連結機構３９Ａは、ケーシング１０内に固設され且つスロート孔３２ａ周縁端面と平行に延びるガイド孔３９ｈを有する支持板３９０と、上記ガイド孔３９ｈに抜け止め状態で挿通され且つ一端が後述する連結板３９３へ接続されるガイド軸３９１と、二つの虫侵入防止カバー３６の両端に形成された各連結舌片３６０相互間を繋ぎ且つ下端に上述のワイヤ３７Ｃが接続される略Ｔ字状の連結板３９３とを備えている。また、上記連結板３９３は、引張バネＲ３の復帰力によって常にワイヤ３７Ｃの引張方向と反対側へ引張付勢されている。
【００７４】
このものでは、出湯ボタンＳ２の出湯の開始操作を行い、上述した第１リンク３７Ａによってワイヤ３７Ｃの引張動作が行われると、その引張動作に応動して連結板３９３がガイド孔３９ｈに沿って引き下げられる。その結果、連結板３９３に固定された虫侵入防止カバー３６がスロート孔３２ａの周縁に沿って下方へ摺動し、スロート孔３２ａを開放する。また、出湯ボタンＳ２の出湯の停止操作を行い、ワイヤ３７Ｃの引張動作が解除されると、上記引張バネＲ３の復帰力によって連結板３９３がガイド孔３９ｈに沿って引き上げられる。その結果、連結板３９３に固定された虫侵入防止カバー３６がスロート孔３２ａの周縁に沿って上方へ摺動し、スロート孔３２ａを閉覆する。これにより、上記実施の形態と同様の効果が発揮される。
尚、上記虫侵入防止カバー３６は、その表面の一部もしくは全体に通気用のスリットや網目状部を設け、閉覆状態においても燃料ガスの燃焼に必要な量の空気をバーナ管３２内へ吸引することができる構成にしても良い。
【図面の簡単な説明】
【００７５】
【図１】本発明の実施の形態に係るガス湯沸器１の概略構成図
【図２】本発明の実施の形態に係るガス湯沸器１のスロート孔３２ａ周辺の概略斜視図
【図３】本発明の実施の形態に係るガス湯沸器１のカバー開閉機構３７の説明図
【図４】本発明の実施の形態に係るガス湯沸器１の虫侵入防止カバー３６の横断面図
【図５】本発明の他の実施形態に係るガス湯沸器１のスロート孔３２ａ周辺の概略斜視図
【図６】本発明の他の実施形態に係るガス湯沸器１のカバー開閉機構３９の説明図
【図７】本発明の他の実施形態に係るガス湯沸器１の連結機構３９Ａの説明図
【図８】従来のガス湯沸器７の概略構成図
【図９】従来のガス湯沸器７のスロート孔９２ａ周辺の概略斜視図
【符号の説明】
【００７６】
１・・・ガス湯沸器
１０・・・ケーシング
１２・・・燃焼排気通路
２・・・熱交換器
３・・・ガスバーナ
３１・・・ノズルマニホールド
３１ａ・・・噴射ノズル
３２・・・バーナ管
３２ａ・・・スロート孔（ガス入口）
３２ｂ・・・炎孔
３６・・・虫侵入防止カバー
Ｌｇ・・・ガス配管
Ｓ２・・・出湯ボタン（出湯操作部）
Ｓ４・・・ロックレバー（ロック操作部）
【図１】
0004922982.tif 000002
【図２】
0004922982.tif 000003
【図３】
0004922982.tif 000004
【図４】
0004922982.tif 000005
【図５】
0004922982.tif 000006
【図６】
0004922982.tif 000007
【図７】
0004922982.tif 000008
【図８】
0004922982.tif 000009
【図９】
0004922982.tif 000010